Podtech/llm-jp-corpus-v4-ja_patent huggingface dataset:
(57)【要約】      （修正有）【課題】鏡に自分の姿を映すことは良くあるが、その際、自分だけを映すので肥満や痩せすぎの自覚が沸かず、自分の体型を相対的に自覚できない。【解決手段】健康的、理想的体型モデルを防水タイプのステッカーにする。ステッカーを鏡やガラスなど、自分の姿が映るものに貼り、自分の体型を相対的に確認する事によって、肥満やメタボリック又痩せすぎなどを簡単に相対的に確認でき、自分の体型維持の目安と出来る。また、各家庭にある、鏡や窓等にシールを貼ることにより、無駄な出費を省き簡単に体型のチェックが行える。【選択図】図１
2010252945.tif 000002
【特許請求の範囲】
【請求項１】
体型の形を切り抜いたステッカー  
【発明の詳細な説明】
【技術分野】
【０００１】
本発明は、肥満や痩せすぎを簡単に自覚し  理想体型に近づくためのものである
【背景技術】
【０００２】
鏡に自分の姿を映すことは良くあるが、その際  自分だけを映すので肥満や痩せすぎの自覚が沸かず  体型維持の努力を怠りがちになる。
【発明の概要】
【発明が解決しようとする課題】
【０００３】
解決しようとする問題点は、自分の体型を相対的に自覚できないと言う点である。
【課題を解決するための手段】
【０００４】
本発明は、自分が普段使っている鏡や姿見に理想体型の型抜きステッカーを貼ることによって  肥満やメタボリック又痩せすぎなどを
簡単に相対的に確認できる。
【発明の効果】
【０００５】
自分の体型を相対的に確認する事によって  体型維持の為の努力をする気持ちを起こさせる。又、自分にとって身体のどの部分に問題があるかを簡単に確認でき  効率的なエクササイズなどに繋がる。
【図面の簡単な説明】
【０００６】
【図１】図１は女性に理想的な体型をかたどったシールの図面
【図２】図２は男性に理想的な体型をかたどったシールの図面
【発明を実施するための形態】
【０００７】
各家庭にある、鏡や窓等にシールを貼ることにより  無駄な出費を省き  簡単に体型のチェックが行える。
【実施例１】
【０００８】
図１は女性に理想的な体型をかたどったシールの図面であって、大き目の鏡に張り自分が写るように鏡の前に立ちます。すると、自分の体型と理想体型の違いが瞬時にわかります。
【実施例２】
【０００９】
図２は男性に理想的な体型をかたどったシールの図面であって、大き目の鏡に張り自分が写るように鏡の前に立ちます。すると、自分の体型と理想体型の違いが瞬時にわかります。
【図１】
2010252945.tif 000003
【図２】
2010252945.tif 000004
(57)【要約】【課題】住宅用分電盤に設けられる通気孔であって、外観を損ねずに通気性の向上を図ることのできる構造を提供する。【解決手段】住宅に取付けられる住宅用分電盤であって、この住宅用分電盤は少なくとも前面に開口部を備えた箱体本体と、箱体本体の開口部を開閉可能に被覆する扉体とからなり、箱体本体は周縁に複数の溝部を設け、溝部に単数又は複数の通気孔を設けてなる。又、通気孔を箱体本体の周縁に設けた溝部と同系色に設け、正面及び斜め側面から通気孔を見え難くすることにより外観を損なわずに通気性を向上させる。【選択図】図１
2010252585.tif 000002
【特許請求の範囲】
【請求項１】
住宅に取付けられる住宅用分電盤であって、該住宅用分電盤は少なくとも前面に開口部を備えた箱体本体と、該箱体本体の前記開口部を開閉可能に被覆する扉体とからなり、前記箱体本体の周縁に複数の溝部を設け、該溝部に単数又は複数の通気孔を設けたことを特徴とする住宅用分電盤。
【請求項２】
前記通気孔において、箱体本体の周縁に設けた溝部と同系色に設け、正面及び斜め側面から通気孔を見え難くすることにより外観を損なわずに通気性を向上させることを特徴とする住宅用分電盤。
【発明の詳細な説明】
【技術分野】
【０００１】
本発明は、住宅用分電盤に設けられる通気孔に関するものである。
【背景技術】
【０００２】
従来、通気孔を設けた住宅用分電盤には、特許文献１に記載されているような、基台に通気孔を設けると共に、通気孔を施蓋するカバーを取り付け、分電盤を設置した後でも、カバーの開閉によって分電盤を特別に部品を交換するなどの手間を掛けずに通常の仕様から気密仕様に容易に変更できるものがある。
【０００３】
しかし、上記の住宅用分電盤では、通気孔が露出するため外観を損ねる恐れがあり、又、通気孔から箱体本体内部に埃等が侵入する恐れがあるという欠点がある。
【０００４】
この改善策として、特許文献２に記載されているような、ケースと、ケース内に収納され、ケースの前面部に配置される操作部を有する分電盤ユニットと、前記ケースの前面部に閉じた状態で上縁と前記ケースとが隙間を有するようにケースの前面部を開閉可能に覆う扉体と、前記ケースの前面部に開放された前記扉体の上縁が進入可能とする逃げ部と、この逃げ部に設けられ、前記隙間からケース内の空気が排出されるようにケース内外に連通する通気孔とを具備したものを用いることが考えられる。
【先行技術文献】
【特許文献】
【０００５】
【特許文献１】特開２００４−１５３８８８号公報
【特許文献２】特許第３８１５５１５号公報
【発明の概要】
【発明が解決しようとする課題】
【０００６】
しかしながら、特許文献２に記載の発明では、ケースと扉体の上縁との隙間からケース内の空気が排出されるように、扉体の上縁が進入可能とする逃げ部に通気孔を設けているため、分電盤の上縁にしか通気孔を設けることができず、又、扉体を閉めた状態では上縁にある隙間が狭く、通気孔の効果を十分に得ることができない恐れがあるという欠点がある。
【課題を解決するための手段】
【０００７】
上記した課題を解決するためになされた本発明の住宅用分電盤は、住宅に取付けられる住宅用分電盤であって、この住宅用分電盤は少なくとも前面に開口部を備えた箱体本体と、箱体本体の開口部を開閉可能に被覆する扉体とからなり、箱体本体は周縁に複数の溝部を設け、溝部に単数又は複数の通気孔を設けてなる。
【発明の効果】
【０００８】
本発明の住宅用分電盤によれば、箱体本体の側面に溝部を設け、溝部の中に通気孔を設けることで通気孔を目立たなくして外観を損ねる恐れを少なくし、且つ通気性の向上を図ることが可能となる。
【０００９】
又、盤表面に対して通気孔が奥まって形成されるため、埃等が侵入する恐れを少なくすることが可能となる。
【図面の簡単な説明】
【００１０】
【図１】図１は本発明の実施例１における住宅用分電盤の斜視図である。
【図２】図２は図１におけるＡの拡大図である。
【図３】図３は本発明の実施例１における住宅用分電盤の側面図である。
【図４】図４は本発明の実施例１における住宅用分電盤の底面図である。
【発明を実施するための形態】
【００１１】
本発明では、住宅用分電盤において、周縁に設けた複数の溝部に通気孔を設けることで外観を損なわずに通気性の向上を可能にした。
【実施例１】
【００１２】
住宅に取付けられる住宅用分電盤であって、住宅用分電盤は少なくとも前面に開口部を備えた箱体本体１、１１、２１、３１と箱体本体１、１１の開口部を開閉可能に被覆する扉体２、１２、２２、３２とからなり、箱体本体１、１１、２１、３１の周縁に複数の溝部３、１３、２３、３３を設け、溝部３、１３、２３、３３に複数の通気孔１４、２４、３４を設けた。箱体本体１、１１、２１、３１に設ける溝部３、１３、２３、３３は左右の各側面に対して縦に、底面に対して横に夫々複数配置し、夫々の溝部３、１３、２３、３３は箱体本体１、１１、２１、３１の前面方向に設ける。溝部３、１３、２３、３３は箱体本体１、１１、２１、３１の内部方向に凹型を形成しており、凹型の底部に通気孔１４、２４、３４が設けられる。これにより、正面又は斜め方向からでは通気孔１４、２４、３４が見え難くなり、外観を損ねることなく通気性の向上を図ることが可能となる。又、盤外面に対して通気孔１４、２４、３４が奥まっているため、埃等が侵入する恐れを少なくすることが可能となる。
【００１３】
なお、溝部の構造については本実施例における凹型に限定されるものではなく、本発明の趣旨を変更しない範囲で適宜変更可能である。
【産業上の利用可能性】
【００１４】
箱体本体の周縁に設けた溝部に通気孔を設け、正面及び斜め側面から通気孔を見え難くしたため、外観を損なわずに通気性を向上させることが可能である。
【符号の説明】
【００１５】
１、１１、２１、３１    箱体本体
２、１２、２２、３２    扉体
３、１３、２３、３３    溝部
１４、２４、３４    通気孔
【図１】
2010252585.tif 000003
【図２】
2010252585.tif 000004
【図３】
2010252585.tif 000005
【図４】
2010252585.tif 000006
(57)【要約】【課題】従来の内部構造に影響を与えることのない、分電盤の奥行き寸法を薄く見せることのできる構成を、少ないコストで容易に実現することが可能な住宅用分電盤を提供する。【解決手段】住宅に取付けられる住宅用分電盤であって、この住宅用分電盤は少なくとも前面に開口部を備えた筐体本体と、筐体本体の開口部を開閉可能に被覆する扉体とからなり、筐体本体又は扉体を部分的に異なる色で構成してなる。又は、異なる色で構成する箇所を複数箇所とし、対向する面においては同様の色配置で構成し、隣接する面においては異なる色配置で構成する。又は、異なる色での構成を、正面から背面への複数色による段階的な変化による構成とする。【選択図】図１
2010252586.tif 000002
【特許請求の範囲】
【請求項１】
住宅に取付けられる住宅用分電盤であって、該住宅用分電盤は少なくとも前面に開口部を備えた筐体本体と、該筐体本体の前記開口部を開閉可能に被覆する扉体とからなり、前記筐体本体又は前記扉体を部分的に異なる色で構成したことを特徴とする住宅用分電盤。
【請求項２】
前記筐体本体又は前記扉体において、異なる色で構成する箇所を複数箇所とし、対向する面においては同様の色配置で構成し、隣接する面においては異なる色配置で構成したことを特徴とする請求項１に記載の住宅用分電盤。
【請求項３】
前記筐体本体又は前記扉体において、異なる色での構成を、正面から背面への複数色による段階的な変化による構成としたことを特徴とする請求項１又は請求項２に記載の住宅用分電盤。
【発明の詳細な説明】
【技術分野】
【０００１】
本発明は、住宅用分電盤の筐体に関するものである。
【背景技術】
【０００２】
従来、住宅用分電盤の筐体に関するものには、特許文献１に記載されているような、回路遮断器と係止離脱自在に係止する固定爪片及び弾性爪片を基板に設けることで、回路遮断器を基板に取り付けるための取付ベースが不要になり、回路遮断器を取り付ける手間が少なくなり、そのうえ取付ベースの高さ分だけ分電盤の筐体の奥行き寸法を薄くすることができるようにしたものがある。
【先行技術文献】
【特許文献】
【０００３】
【特許文献１】特開平１１−１８７５１６号公報
【発明の概要】
【発明が解決しようとする課題】
【０００４】
しかし、上記の住宅用分電盤では、ブレーカ底面から分電盤背面までの距離が狭くなるため、ブレーカから発生した熱の排気効率が低下する恐れがあるという欠点がある。
【課題を解決するための手段】
【０００５】
上記した課題を解決するためになされた本発明の住宅用分電盤は、住宅に取り付けられる住宅用分電盤であって、この住宅用分電盤は少なくとも前面に開口部を備えた筐体本体と、筐体本体の開口部を開閉可能に被覆する扉体とからなり、筐体本体又は扉体を部分的に異なる色で構成した。
【発明の効果】
【０００６】
本発明の住宅用分電盤によれば、筐体本体又は扉体を部分的に異なる色で構成したことにより、特に当該異なる色で構成した部分に他の部分よりも暗い色を用いることで、人の目に働く作用から、分電盤の筐体の奥行き寸法を薄く見せることが可能となる。又、色の構成によって効果を得ることができるため従来の内部構造に影響を与えることなく、少ないコストで容易に実現することが可能となる。
【図面の簡単な説明】
【０００７】
【図１】図１は本発明の実施例１における住宅用分電盤の、暗色部を斜線で示した斜視図である。
【図２】図２は本発明の実施例２における住宅用分電盤の、暗色部を斜線で示した斜視図である。
【図３】図３は図２におけるＡの拡大図である。
【図４】図４は本発明の実施例３における住宅用分電盤の、暗色部を斜線で示した斜視図である。
【図５】図５は図４におけるＢの拡大図である。
【発明を実施するための形態】
【０００８】
本発明では、少ないコストで容易に筐体の奥行き寸法を薄く見せることのできる住宅用分電盤の提供を可能にした。
【実施例１】
【０００９】
住宅に取付けられる住宅用分電盤であって、この住宅用分電盤は少なくとも前面に開口部を備えた筐体本体１と、筐体本体１の開口部を開閉可能に被覆する扉体２とからなり、筐体本体１を部分的に異なる色で構成してなる。筐体本体１の厚さ方向について周縁の開口部から略中央までを例えば黒色等のような暗色部４で構成し、暗色部４の前面及び背面方向の筐体本体１及び扉体２を例えば白色等のような明色部３で構成する。これにより、人の目に働く作用から、分電盤の筐体の奥行き寸法を薄く見せることが可能となる。又、色の構成によって可能となるため従来の内部構造に影響を与えることなく、少ないコストで容易に実現することが可能となる。
【実施例２】
【００１０】
住宅に取付けられる住宅用分電盤であって、この住宅用分電盤は少なくとも前面に開口部を備えた筐体本体１１、２１と、筐体本体１１、２１の開口部を開閉可能に被覆する扉体１２、２２とからなり、筐体本体１１、２１を部分的に異なる色で構成してなる。筐体本体１１、２１及び扉体１２、２２を例えば白色等のような明色部１３、２３で構成し、筐体本体１１、２１の周縁の開口部から略中央までにかけて、例えば黒色等のような暗色部１４、２４を筐体本体１１、２１の正面に対して平行に、且つ等間隔の配置によって構成してなる。これにより、人の目に働く作用から、分電盤の奥行き寸法を薄く見せることが可能となる。又、色の構成によって可能となるため従来の内部構造に影響を与えることなく、少ないコストで容易に実現することが可能となる。
【実施例３】
【００１１】
住宅に取付けられる住宅用分電盤であって、この住宅用分電盤は少なくとも前面に開口部を備えた筐体本体３１、４１と、筐体本体３１、４１の開口部を開閉可能に被覆する扉体３２、４２とからなり、筐体本体３１、４１を部分的に異なる色で構成してなる。筐体本体３１、４１の天面と底面と左右の側面において、筐体本体３１、４１の周縁の開口部から筐体本体３１、４１の背面に至らないまでを、例えば白色等のような明色部３３、４３から、例えば黒色等のような暗色部３４、４４によって複数色による段階的な変化を設けた構成とした。これにより、人の目に働く作用から、分電盤の奥行き寸法を薄く見せることが可能となる。又、色の構成によって可能となるため従来の内部構造に影響を与えることなく、少ないコストで容易に実現することが可能となる。
【００１２】
なお、色の構成については本実施例における白色及び黒色に限定されるものではなく、複数色による濃淡や明暗を段階的に構成して利用する等、本発明の趣旨を変更しない範囲で適宜変更可能である。
【産業上の利用可能性】
【００１３】
筐体本体又は扉体を部分的に異なる色で構成してなるため、人の目に働く作用から、分電盤の奥行き寸法を薄く見せることが可能となる。又、色の構成によって可能となるため従来の内部構造に影響を与えることなく、少ないコストで容易に実現することが可能となる。
【符号の説明】
【００１４】
１、１１、２１、３１、４１    筐体本体
２、１２、２２、３２、４２    扉体
３、１３、２３、３３、４３    明色部
４、１４、２４、３４、４４    暗色部
【図１】
2010252586.tif 000003
【図２】
2010252586.tif 000004
【図３】
2010252586.tif 000005
【図４】
2010252586.tif 000006
【図５】
2010252586.tif 000007
(57)【要約】【課題】本発明は、屋上に太陽電池パネルを敷き設し、かつ屋上を緑化する方法の提案にある。【解決手段】本発明は、屋上に太陽電池パネルを平行に斜めに敷き設し、当該敷き設した太陽電池パネルの裏側を傾斜面とし、この傾斜面を緑化し、後ろ側の太陽電池パネルからの反射光を緑化用植物に照射する太陽電池パネルによる発電と屋上緑化を同時に実施する方法である。南側に向けて配設された、太陽電池パネルの裏側である北側に配設されたプランターにも光が当たるようになっている。【選択図】図１
2010252686.tif 000002
【特許請求の範囲】
【請求項１】
屋上に太陽電池パネルを平行に斜めに敷き設し、当該敷き設した太陽電池パネルの裏側を傾斜面とし、この傾斜面を緑化し、後ろ側の太陽電池パネルからの反射光を緑化用植物に照射する太陽電池パネルによる発電と屋上緑化を同時に実施する方法。
【発明の詳細な説明】
【技術分野】
【０００１】
本発明は、太陽電池パネルの裏側を緑化する技術に属する。
【背景技術】
【０００２】
太陽電池パネルを屋上に敷き設し、発電を行うことは広く行われている。また屋上を緑化しヒートアイランド現象を緩和させることも同様広く実施されている。特開2003-199422あるいは特開平11-293717には屋上などに配設した太陽電池パネルからの発電を利用して屋上緑化用の植物に給水する方法が開示されている。しかしながら太陽電池パネルを屋上に敷きつめると当然屋上を緑化することは不可能となる。
太陽電池パネルを敷き設しかつ屋上を緑化する方法が求められている。
【先行技術文献】
【特許文献】
【０００３】
【特許文献１】特開平11-293717
【特許文献２】特開2003-199422
【発明の開示】
【発明が解決しようとする課題】
【０００４】
本発明は、屋上に太陽電池パネルを敷き設し、かつ屋上を緑化する方法の提案にある。
【課題を解決するための手段】
【０００５】
本発明は、屋上に太陽電池パネルを平行に斜めに敷き設し、当該敷き設した太陽電池パネルの裏側を傾斜面とし、この傾斜面を緑化し、後ろ側の太陽電池パネルからの反射光を緑化用植物に照射する太陽電池パネルによる発電と屋上緑化を同時に実施する方法である。南側に向けて配設された、太陽電池パネルの裏側である北向きに配設されたプランターにも光が当たるようになっている。
【発明の効果】
【０００６】
本発明は、南側に向けて傾斜して平行に配列した太陽電池パネルの裏側を傾斜面とし、緑化用の植物を配置したため、太陽電池パネルからの反射光が北側に配置した植物にも当たり、植物を育成することができる。そのため屋上を太陽電池による発電用と緑化用の両方の用途に使用することができる。
【図面の簡単な説明】
【０００７】
【図１】は、太陽電池パネルの裏側を緑化空間とした概念図である。
【図２】は、緑化空間の概念図である。
【発明を実施するための形態】
【０００８】
以下、本発明を図によって、より詳細に説明する。
図１は、本発明の太陽電池パネルとその裏側を緑化空間とした状態を示す概念図である。
図に示したように、屋上に太陽電池パネルを南側に向けて斜めに平行に立てかけてある。また太陽光電池パネルの裏側には斜めに傾斜させた架台を設け、その傾斜面を緑化空間としている。
【０００９】
太陽電池パネルは、その裏側から架台により斜めに支えられ、架台の裏側は、図２では階段状に形成され、その階段上に植物育成用のプランターが配置できるようにしてある。太陽電池パネル間には通路が設けられ、植物の世話ができる空間となっている。架台の裏側は階段状とすることなく斜めの傾斜面とし、網体を張り設し、コケ、しだの類を植えつけておいてもよい。
【００１０】
太陽電池パネルからの反射光は、太陽の位置が、太陽電池パネルに直角に当たる位置より高くなり、西に向かい太陽光電池パネルの傾きに等しくなるまで期待できる。
【００１１】
本発明に使用する太陽電池パネルは、市販の太陽電池パネルが使用可能であり、パネルを支える架台は、特に制限はないが耐久性を考慮しステンレススチール、アルミニウム製のものが好ましい。
【産業上の利用可能性】
【００１２】
本発明は、屋上での太陽電池パネルによる発電、緑化が同時に達成され、ヒートアイランド対策に有効に使用される。
【符号の説明】
【００１３】
１  太陽電池パネル
２  架台
３  プランター
４  屋上
【図１】
2010252686.tif 000003
【図２】
2010252686.tif 000004
(57)【要約】【課題】整流子を用いたＤＣモータは回転子に巻線（コイル）するため回転子が大きくなり全体も大きくなる。このため、小型化の障害になっていた。また回転子の突極が複雑なため巻線コストがかかった。【解決手段】本発明は整流子▲１▼の横にスリップリング▲２▼を設け整流子とスリップリング▲２▼を線（銅など）▲３▼で個別につなぐスリップリング▲２▼にブラシ▲４▼を設けた整流子を提供することにより、回転子（ロータ）に永久磁石を使用し、固定子（ステータ）に電磁石を使用して、本発明のスリップリンク付整流子により固定子の電流を切り換えられる、従来より小型で強力なモータが完成する。【選択図】図２
2010252614.tif 000002
【特許請求の範囲】
【請求項１】
（イ）直流モータ（ＤＣモータ）において、
整流子の横に（整流子の電流を外部に取り出すための）スリップリング（整流子の等分数）を取付け、整流子で切り換った電流を固定子に流す構造をした整流子。
【発明の詳細な説明】
【発明の詳細な説明】
【技術分野】
【０００１】この発明は回転子に電磁石が不要になり、回転子に磁石のみを取付けて回転させられるために小型化が出来る。
回転子にコイルを巻くコスト（手間）がなくなりコストダウン出来る。コイルは固定子に必要であるが自動巻出来るコイルを固定子の突極に取付けるだけでよい。これも小型化ができる。
【背景技術】
【０００２】整流子を持ちいたＤＣモータは回転子に巻線（コイル）するため回転子が大きくなり全体も大きくなる。
このため、小型化の障害になっていた。また回転子の突極が複雑なため巻線コストがかかった。
【発明が解決しようとする課題】
【０００３】（イ）整流子付ＤＣモータは回転子に巻線が必要なため小型化が困難であった。
（ロ）巻線のためのコストでかかった。
（ハ）回転子に永久磁石を使用し固定子に電磁石を使用したＤＣモータはあったが、制御に電子回路などが必要であった。
（ニ）回転子に永久磁石を使用し固定子に電磁石を使用したＤＣモータを電子回路で使用した時は、自動車に使用されているセルモータのように発電用に使用することはできない。
【課題を解決するための手段】
【０００４】整流子▲１▼の横にスリップリング▲２▼を設け整流子とスリップリングを線▲３▼で個別につなぐ
スリップリング▲２▼にブラシ▲４▼を設けた整流子。
ブラシ▲５▼▲６▼は従来と同じ。
【発明を実施するための形態】
【０００５】  以下本発明の実施の形態を説明する。
（イ）  整流子横に外部に電流を取り出すスリップリング３個（整流子の等分数）を設ける。
（ロ）  ▲１▼整流子と▲２▼スリップリングを▲３▼の線（銅など）で個別につなぐ。
（ハ）  ▲４▼のブラシを設け外部（回転子外）に取り出す。
本発明は以上の構成によりなっている。
この▲２▼スリップリングと▲４▼ブラシを取り付けることにより、電気的雑音が増加することはない。振動も増加しない。
【発明の効果】
【０００６】（イ）この発明により整流子付ＤＣモータは回転子に電磁石が不要となり磁石のみ取付ければよく小型化ができる。
（ロ）回転子にコイルを巻くコスト（手間）がなくなりコストダウンできる。
コイルは固定子に必要であるが自動巻きも可能でコイルを固定子の突極に取付けるだけでよい。
これも小型化できる。
（ハ）この発明の整流子を使用すれば電子回路などは不要となる。
（二）この発明により、このモータを発電機として使用する時は回転子が従来のコイル巻に比べ小さく軽くなるため、より小さい回転力で発電が可能である。
（ホ）電子回路を使用しないため自動車用のセルモータとして使用してもモータ→発電、発電→モータ、としても使用できる。
（ヘ）回転子に永久磁石だけを使用したセルモータはない。
新規である。
【図面の簡単な説明】
【図１】整流子図  正面図
【図２】整流子図  斜視図
【図３】モータ断面図
【図４】回転子と（本発明の）整流子の取付図
【符号の説明】１  整流子（銅など）  ２  スリップリング（銅など）
３  接続線（銅など）  ４  ブラシ
５と６  ブラシ（従来の整流子用）  ７  絶緑部
８  回転子      ９  固定子      １０  巻線コイル
１１  回転軸
【図１】
2010252614.tif 000003
【図２】
2010252614.tif 000004
【図３】
2010252614.tif 000005
【図４】
2010252614.tif 000006
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
直流モータ（ＤＣモータ）において、
整流子の横に（整流子の電流を外部に取り出すための）スリップリング（整流子の等分数）を取付け、整流子で切り換った電流を固定子に流す構造をした整流子。
【手続補正２】
【補正対象書類名】明細書
【補正対象項目名】０００５
【補正方法】変更
【補正の内容】
【０００５】
【発明の実施の形態】
以下本発明の実施の形態を説明する。
（イ）  整流子横に外部に電流を取り出すスリップリング３個（整流子の等分数）を設ける。
（ロ）  ▲１▼整流子と▲２▼スリップリングを▲３▼の線（銅など）で個別につなぐ。
（ハ）  ▲４▼のブラシを設け外部（回転子外）に取り出し、整流子で切り換った電流を▲９▼固定子の▲１０▼巻線コイルに流す構造をした整流子。
本発明は以上の構造によりなっている。
この▲２▼スリップリングと▲４▼ブラシを取り付けることにより、電気的雑音が増加することはない。  振動も増加しない。
(57)【要約】【課題】従来の監視カメラでは死角があるのが普通だった。これは、レンズがもつ性能を超えることは出来からである。【解決手段】レンズがもつ性能枠では限界があるが、現在ある死角ミラーの性能は凸面鏡を天井に固定し床側から観ると３６０度を観ることが可能である。この凸面鏡を監視カメラで映すだけで３６０度及び東西南北を一台の監視カメラで映しだすことが出来る。この結果、監視カメラの死角が無くなりカメラ台数が削減する。又、死角ミラーの安全確認性能を落とすことなく利用できる。【選択図】図１、図６
2010252281.tif 000002
【特許請求の範囲】
【請求項１】
死角ミラーの凸面鏡側及び球鏡の円弧中心反射鏡に映る３６０度を直接監視カメラで撮影する。
死角ミラーが持つ機能がそのままモニタ画面に反映し死角の無い監視映像が出来る。
【発明の詳細な説明】
【発明の詳細な説明】
【技術分野】
【０００１】本発明は、監視カメラと死角ミラーを統合し監視側と我々の安全確認に関する。
【背景技術】
【０００２】現行の監視カメラではレンズ角度の制限があるため限界がある。又、リモコン操作で監視カメラ本体が３６０度及び上下動くものはあるが監視モニターに３６０度及び東西南北映るものはない。【０００３】現状は３６０度及び東西南北を監視するには最低４台以上のカメラが必要で映像データをモニタ画面に映るときは四分割映像のため死角が発生する。【０００４】その結果、監視カメラでは死角が多く発生し、死角を減らすために台数が多くなる。
【発明の開示】
【発明が解決しようとする課題】
【０００５】以上に述べた従来の監視カメラでは死角が発生する。【０００６】しかし、死角ミラーを利用することで監視カメラと死角ミラーを統合出来る発明である（非特許文献１、２）。【０００７】その結果、監視カメラと死角ミラーの台数を減らすだけでなく歩行者側と監視側が互に死角がなくなる。【０００８】
【非特許文献１】「道路反射鏡」
【非特許文献２】「コミーミラー商品ドームミラー」  コミー株式会社
【課題を解決するための手段】
【０００９】現在ある死角ミラー（非特許文献２）や道路反射鏡（非特許文献１）採用されている凸面鏡が３６０度及び東西南北を映し出す機能を利用する。【００１０】死角ミラーは魚眼レンズように観えるためミラー形状や取り付け方法が変わるだけで機能が大きく変わる。【００１１】まず、死角ミラーを天井側で固定する（非特許文献２）。【００１２】次に図１の通り死角ミラーの天井側からブラケット（符号６）４本でフレームカメラ固定及び東西南北線（符号３）で監視カメラ（符号４）を固定する。【００１３】反射鏡に映るものを撮ることで３６０度及び東西南北又は魚眼レンズ用にモニタに映し出すことが可能である（図４  断面Ａ−Ａ参照）。【００１４】又、死角ミラーの機能を落とすことなく統合できる。
【発明の効果】
【００１５】上述したように本発明は現在ある死角ミラーの機能を利用し反射鏡に映る３６０度及び東西南北が魚眼レンズ用にモニタに映し出す。【００１６】これにより現在ある監視カメラと比較すると死角部が大きく改善する。【００１７】又、死角ミラーの機能は落ちることはない。【００１８】図６ように交差点１から２の中心に置き繋ぐことで監視死角が減るだけでなく、監視カメラの台数の削減と我々の安全確認が統合することで公共場に適合するデザイン機能である。
【発明の実施するための最良の形態】
【００１９】以下、本発明の実施の形態を図１〜図７に基づいて説明する。
【００２０】図１は床から天井方向の投影図である。
【００２１】死角ミラー（非特許文献２）は安全確認する機能はそのまま利用し、凸面鏡の中心に監視カメラをフレームカメラ固定側及び東西南北線（符号３）で固定する。
【００２２】図４、Ａ−Ａ線断面図、凸面鏡に反射する３６０度及び東西南北線が鏡に映る、凸面鏡の中心に監視カメラレンズ（符号４、６）を鏡側に向け映すことで図３のように３６０度及び東西南北線が映しだすことが可能である。
【００２３】凸面鏡に反射するものは図５では床側を映し、図６は交差点の中心の天井固定するために３６０度及び東西南北を死角無しに監視することができる。
【００２４】又、図６ように交差点−１から交差点−２ように設置することで監視の死角が無くなり、従来の監視カメラの台数が削減でき、死角ミラーの機能もそのまま安全確認できる。
【００２５】３６０度を映し出すためにフレームカメラ固定側及び東西南北線（符号３）が位置を確認できる。
【００２６】図７はブラケット（符号６）に案内板（符号７）と案内フレーム（符号８）を組付けることで案内表示し、我々の安全と案内表示が確認でき、監視側も同様に確認出来る。
【図面の簡単な説明】
【００２７】
【図１】本発明の実施形態投影図
【図２】正面から見た外観図
【図３】下面から見た外観図
【図４】図２におけるＡ−Ａ線断面図  凸面鏡反射詳細図
【図５】死角ミラーが持つ機能と天井から床間での監視カメラ枠
【図６】建物の見取り図に各交差点１，２設置し監視カメラ死角が無い
【図７】本発明に案内板を組合せた投影図
【符号の説明】
【００２８】１  凸面鏡
２  フレーム天井側
３  フレームカメラ固定側及び東西南北線
４  監視カメラ
５  レンズ
６  ブラケット
７  案内板
８  案内フレーム
【図１】
2010252281.tif 000003
【図２】
2010252281.tif 000004
【図３】
2010252281.tif 000005
【図４】
2010252281.tif 000006
【図５】
2010252281.tif 000007
【図６】
2010252281.tif 000008
【図７】
2010252281.tif 000009
(57)【要約】      （修正有）【課題】ウェブへの集客効率を飛躍的に向上させるシステムを提供する。【解決手段】チラシからウェブへの集客用の集合ウェブサイトを開設。集合ウェブサイトに参加する広告主はチラシに集合ウェブサイトのＵＲＬを掲載し、顧客を集合ウェブサイトへ誘導する。顧客は集合ウェブサイトから目的の広告主を選択し、ウェブを閲覧する。このシステムはチラシからウェブへの集客を継続的で効果的に集客率を向上させる。【選択図】図１
2010176651.tif 000002
【特許請求の範囲】
【請求項１】
チラシからウェブへ効果的、継続的に集客することを特徴とするビジネスモデル。
【請求項２】
チラシからウェブへの集客を集合ウェブサイト経由とし、チラシに集合ウェブサイトのＵＲＬを掲載、または集合ウェブサイトの検索方法を掲載することを特徴とする請求項１記載のビジネスモデル。
【発明の詳細な説明】
【技術分野】
【０００１】  この発明は、チラシなどの紙媒体の広告からウェブへの継続的で効果的な集客方法のシステムである。
【背景技術】
【０００２】  従来、チラシなど紙媒体の広告からウェブへの集客方法は、図２に示すように、広告主は紙媒体に広告主のウェブのＵＲＬを掲載し、顧客を広告主のウェブへ集客していた。
しかし、この方法ではチラシの特有の一過性の広告効果しか期待できず、継続的に広告主のウェブへアクセスを集めることは困難であった。
【先行技術文献】
【特許文献】
【０００３】
【特許文献１】特許公開２００８−２６８８２４
【発明の概要】
【発明が解決しようとする課題】
【０００４】  従来、チラシなど紙媒体の広告からウェブへの集客は極めて低く広告主にとってウェブへの集客をいかに効率化するか、営業上の重要な課題であった。
そこでこの発明は、ウェブへの集客効率を飛躍的に向上させるシステムを広告主に提供することを課題とする。
【課題を解決するための手段】
【０００５】  以上の問題を解決するためにこの発明は、紙媒体からのウェブへのアクセスを多数の広告主を集積することによってこの課題を解決するものである。
各広告主のチラシなどの紙媒体に掲載するウェブＵＲＬを統一した集合ウェブサイトへ一旦アクセスを集積させる。
集合ウェブサイトにアクセスを集積した後、各広告主のウェブへアクセスさせることにより目的を実現させる。
【発明の効果】
【０００６】  この発明は、アクセスの少ないウェブを多数集積することにより集合ウェブサイトに大量アクセスを実現する。この大量のネットユーザーに対し各広告主のコンテンツを紹介、継続的で効果的なアクセスの増加を実現することにより課題を解決する。【０００７】  アクセスは本来、ある目的を持ってウェブの閲覧に来る。しかし、集合ウェブサイトのメニューを閲覧したネットユーザーが目的外のコンテンツへ移動することはごく普通の行動パターンである。すなわち、ネットユーザーの行動パターンを利用すれば、目的以外のコンテンツへのアクセスを飛躍的に増加することが可能となる。
【図面の簡単な説明】
【０００８】
【図１】この発明のチャート図である。
【図２】従来技術を示すチャート図である。
【発明を実施するための形態】
【０００９】  この発明の一実施形態を、図１に示す。
新聞折込などのチラシ広告において、Ａ社のチラシ０１にＡ社のウェブＵＲＬ０２を掲載するのではなく集合ウェブサイトのＵＲＬ０３を掲載する。ネットユーザーはＡ社のチラシを見て集合ウェブサイトへアクセスし、次に集合ウェブサイトからＡ社のウェブへアクセスする。この形態を直接訪問０４と呼ぶ。
【００１０】  他のネットユーザーがＢ社のチラシ０５を見て集合ウェブサイト０３経由でＢ社のウェブ０６へアクセスする。Ｂ社のウェブへアクセスしたネットユーザーの何割かは集合ウェブサイト０３へ戻りＡ社のウェブへアクセスする。この形態を間接訪問０８と呼ぶ。
【００１１】  同様に他のネットユーザーがＣ社のチラシ０７を見て集合ウェブサイト経由でＣ社のウェブ０８へアクセスしたネットユーザーの何割かは集合ウェブサイトへ戻りＡ社のウェブへアクセスする。
「実施形態の効果」
【００１２】  この実施形態によれば、日常的に行われているネットユーザーの行動パターンを活用してＡ社のウェブ０２へアクセスを増加させることが可能である。
集合ウェブサイトを利用する広告主が増加すればするほどＡ社などの広告主のウェブのアクセスは増加し、チラシの広告効果が向上する。
「他の実施形態」
【００１３】  図２の実施形態では、チラシを配布した直後はＡ社のチラシに掲載されたＡ社のウェブへのアクセスは低率ではあるが訪問客がある。しかし、このチラシの効果は一過性でＡ社のウェブへのアクセスはすぐになくなり継続的な訪問客の獲得にはつながらない。
【産業上の利用可能性】
【００１４】  この発明は独自で効果的にアクセスを集められない中小企業にマッチした集客システムです。チラシからウェブへの誘導は一過性の効果しかないことはどの経営者も認識していることです。この集合ウェブサイトのシステムに参加することは、販促にチラシを配布する企業にはコストアップにならずに継続的な集客を可能にします。このコストパフォーマンスに優れたシステムは普及する可能性が高いと推測できます。
【符号の説明】
【００１５】０１  紙媒体の広告（Ａ社のチラシ）
０２  ウェブ（Ａ社のウェブ）
０３  集合ウェブサイト
０４  アクセスの形態（０１を見て０３から０２へ直接訪問するネットユーザー）
０５  紙媒体の広告（Ｂ社のチラシ）
０６  ウェブ（Ｂ社のウェブ）
０７  紙媒体の広告（Ｃ社のチラシ）
０８  ウェブ（Ｃ社のウェブ）
０９  アクセスの形態（０３のメニューから０２に間接訪問するネットユーザー）
【図１】
2010176651.tif 000003
【図２】
2010176651.tif 000004
(57)【要約】      （修正有）【課題】中古住宅取得希望者（利用者）で競売物件の入札を希望し且つリフォームに関する間取変更、仕様、概算費用等の両者情報を同時に満たすシステムを提供する。【解決手段】中古住宅取得希望者で競売不動産且つリフォームでの取得希望者に対する両ニーズを満たす情報支援システムの構築。インターネットを介し公的機関開示の物件情報並びに一般市場価格、入札代行、落札後の権利関係整理、リフォームに関する図面・仕様、ローン斡旋、契約、工事施工引渡し、アフターメンテナンス等の情報を個別競売物件ごと希望利用者に提供する。【選択図】図１
2010176654.tif 000002
【特許請求の範囲】
【請求項１】
中古住宅取得希望者で競売物件且つリフォーム希望利用者へのインターネットを介した情報支援システム。
データベースは競売物件情報、リフォーム図面・仕様書、施工事例及び現在施工中状況ビデオが格納されておりプログラム側で利用者は希望する対象競売不動産の希望する落札価格及び希望仕様のリフォーム価格その他諸費用を含む概算トータルコスト等が把握可能。
【発明の詳細な説明】
【技術分野】
【０００１】  本発明は不動産競売物件入札且つ落札後改修に関する情報支援で有る。
【背景技術】
【０００２】  従来の競売不動産情報提供にはインターネットを利用したものがある。
またサイト市場を設置しているものがある。
【先行技術文献】
【特許文献１】特開平１４−２７３０７３号公報
【特許文献２】特開平２０−２４３１６５号公報
【非特許文献１】
【非特許文献２】
【発明の概要】
本発明は公的機関の地方裁判所、市等が公開で行っている競売不動産情報をデータベース化しさらに公示価格、一般市場流通価格、路線価、固定資産課税標準を関連付けサーバーに保存し一般の中古住宅取得希望者に配信する。物件落札者は間取寸法図、希望仕様に応じたリフォーム後図面の取り出し及び諸経費等を含む概算予算の把握が可能で有る。
データベースは競売物件情報、リフォーム情報、利用者希望情報・施工事例の４構成からなっておりプログラムはメイン、利用者検索、リフォーム、予算検討からなり利用者は競売物件落札後のリフォームを含めた予算検討が可能となっている。
【発明が解決しようとする課題】  従来技術では不動産業界と関連が薄い一般利用者にとって競売入札価格の決定は時間的、価格調査範囲も限られていた。又落札後のリフォームについても専門業者・商社等に別途依頼する等、時間コストに問題があった。
【課題を解決するための手段】    地方裁判所備付の競売不動産情報に一般市場流通価格、公示価格、路線価格、固定資産課税標準額を関連付けデータベースに保存。一般の中古住宅取得希望者にインターネットを通じ提供し落札率を向上させる。
この支援システムは中古住宅取得希望者で競売不動産を入札且つリノベーション（大規模リフォーム）を検討する利用者に両者ニーズを満たす為の情報支援システムである。公的機関開示の物件情報並びに一般市場価格とのリンク、入札代行、落札後の権利関係整理、リフォームに関する図面・仕様、ローン斡旋、契約、工事施工引渡し、アフターメンテナンスに関する情報提供を含む。
【発明の効果】  情報利用者（中古住宅取得希望者）は公的機関が開示している物件情報に加え対象不動産の周辺地域に関する住生活施設、教育機関、公的施設、交通機関等に関する事項、参考価格に関する事項、リフォームに関する事項資料をインターネットから入手、精査し従来よりも時間短縮して入札検討が可能。
落札後の内部リフォームについても家族構成、デザイン、テイスト、部屋配置、変更に対応した間取図面、設備・仕様、諸経費等を含む概算総額費用に関する資料をインターネットで閲覧、入手可能とした。これにより利用者はコスト、時間を要せず物件情報且つリフォーム情報入手が同時可能である。
【発明を実施するための形態】
インターネットを介しての利用者への情報提供
【実施例】  この発明による実施例は兵庫県内過去２年間で以下の通りで有る。
神戸市西区糀台２６番地    西神ウェステージ３番館          １４１２号室
神戸市須磨区白川台６      須磨白川台レックスマンション      ３０３号室
明石市大久保町大窪１４７９−５４                                一戸建
神戸市西区伊川谷町１５５５−７    エフ・コート神戸西        ６０４号室
その他４例
【産業上の利用可能性】  収益目的の投資物件についても適応が可能で有る
【図面の簡単な説明】  図１はこの発明を概略明示したもので有る。
【図１】
2010176654.tif 000003
(57)【要約】      （修正有）【課題】金利予測等を実績データから内在する推移確率マトリクスを割り出して行うとき、納得性のある推移確率を求めて、マトリクスを有効に決める。【解決手段】金利推移などを離散的に推移確率でマトリクス表現すべく、実績推移データから要素を推定するとき、実績データから得られる推移が発生する確率、すなわち実績としてのおのおのの推移に対応する推移確率の積を最大にするように推移マトリクスの各要素を定めること。【選択図】なし【特許請求の範囲】
【請求項１】
金利推移などを離散的に推移確率でマトリクス表現すべく、実績推移データから要素を推定するとき、実績データから得られる推移が発生する確率、すなわち実績としてのおのおのの推移に対応する推移確率の積を最大にするように推移マトリクスの各要素を定めること。
【発明の詳細な説明】
【技術分野】
【０００１】本発明は金利などの推移を推移確率マトリクスで表現すべく実績データから推計を行うとき、マトリクスの数学的特性から、妥当な基準で各要素を定められないことを解決するためのものである。
【背景技術】
【０００２】従来は金利予測等を実績データから内在する推移確率マトリクスを割り出して行おうすると、各列の合計が１となる等の制約条件のみではマトリクスの各要素が一意的に決まらなかった。このような技術的難点を克服し、且つ、納得性のある要素の推定手法として、従来からある回帰分析と同等の納得性のある推計手順が求められていた。
【発明の開示】
【発明が解決しようとする課題】
【０００３】従来は金利予測等を実績データから内在する推移確率マトリクスを割り出して行おうすると、各列の合計が１となる等の制約条件のみではマトリクスの各要素が一意的に決まらなかった。
【課題を解決するための手段】
【０００４】金利推移などを離散的に推移確率でマトリクス表現すべく、実績推移データから要素を推定するとき、実績データから得られる推移が発生する個々の確率を推移推移マトリクス求め、この推移確率Ｐｉの積Ｐ１ｘＰ２ｘＰ３Ｘ・・・・ｘＰｎを最大とするような要素の値を、各要素を変数、この積の値を目的関数として、他の制約などと合わせて解を算定し、実績としての推移を実現する確率が最も大きい推移確率マトリクスであるとして、妥当性のある各要素の値を決める。
【発明の効果】
【０００５】推移確率マトリクスで表現すべく実績データから推計を行うとき、納得性のある推移確率を求めてマトリクスを有効に決めることができる。
【実施例１】
【０００６】
【図面の簡単な説明】
【０００７】
【図１】本発明で行う計算の手順を例示する。
【図１】
2010176650.tif 000002
(57)【要約】【課題】観察者の顔及び位置を認識し、最適な画像表示装置の向き、画面サイズ、音量、電力節減手段等を、自ら設定できる画像表示装置を提供する。【解決手段】デジタル式カメラを有し、該デジタル式カメラの画像から、単独あるいは複数の観察者の顔及び位置を導出し、該位置情報から最も適切と考えられる画像表示装置の向き、画面サイズ、音量の内一部または全ての値を算出し、該値に基づき、画像表示装置の向き、画像サイズ、音量の一部または全てを調整することのできる機能を備え、また顔が認識できなかった場合には、電力節減の動作を行う画像表示装置。【選択図】図１
2010176112.tif 000002
【特許請求の範囲】
【請求項１】
デジタル式カメラを有し、該デジタル式カメラの画像から、単独あるいは複数の観察者の顔及び位置を導出し、該位置情報から最も適切と考えられる画像表示装置の向き、画面サイズ、音量の内一部または全ての値を算出し、該値に基づき、画像表示装置の向き、画像サイズ、音量の一部または全てを調整することのできる機能を備えた画像表示装置。
【請求項２】
デジタル式カメラを有し、該デジタル式カメラの画像から、単独あるいは複数の観察者の顔を認識し、該顔が該デジタル式カメラの方を向いている顔が認識できなかった場合に、画面表示等の機能を停止して使用電力の節減を図る機能を備えた画像表示装置。
【発明の詳細な説明】
【技術分野】
【０００１】  本発明は、観察者の顔の位置を検出し、自動的に画像表示装置の向き、画面サイズ、音量、使用電力の一部または全てを設定する、画像表示装置に関するものである。
【背景技術】
【０００２】  テレビ受像機をはじめとする画像表示装置においては、画像表示装置を見る観察者の、人数あるいは位置は、固定されたものではない。従来は、観察者が自らリモコン等を用いて設定して、画像表示装置の向き、画面サイズ、音量の一部または全てを変えていた。また、画像表示装置を見ることを止めた場合には、その都度画像表示装置の電源を切らなければならなかった。
【発明の概要】
【発明が解決しようとする課題】
【０００３】  観察者が、その都度最適な画像表示装置の向き、画面サイズ、音量等を設定し直して見なければならないのは、煩わしく面倒である。本発明は、これらを画像表示装置が判断して、自動的に設定できるようにするものである。また、観察を止める場合に、電源を切らなくても、画像表示装置が観察者の有無を自ら判断して、電力使用を節減することができるようにするものである。
【課題を解決するための手段】
【０００４】  画像表示装置に、デジタル式カメラを内蔵し、そのデジタル式カメラの画像から単独あるいは複数の観察者の顔及び位置を導出し、その位置情報から最も適切と考えられる画像表示装置の向き、画面サイズ、音量の一部または全ての値を算出する。それらの値に基づき、画像表示装置の向き、画像サイズ、音量の一部または全てを調整する。また、顔が認識できなかった場合には、画面表示等の機能を停止して、使用電力の節減を図る。
【発明の効果】
【０００５】  前記手段により、観察者は、画像表示装置を見ようとするたびに画像表示装置の向き、画面サイズ、音量等を設定しなおす必要がないので、その煩わしさから開放され、画像表示装置を見ることができる。また、観察を止めた場合に、画像表示装置が観察者の有無を自ら判断して、電力使用を節減するので、観察者が電源を切らなくてもいい。
【図面の簡単な説明】
【０００６】
【図１】本発明の実施例１における画像表示装置及び観察者からなる観察状況の斜視図
【発明を実施するための形態】
【０００７】  次に、本発明の実施形態を、図面を参照して説明する。
図１は本発明の実施例１における画像表示装置及び観察者からなる観察状況の斜視図である。
【実施例１】
【０００８】  実施例１について説明する。図１において、画像表示装置（１）の上部には、デジタル式カメラ（２）が内蔵され、その光軸は、画像表示装置（１）の正面を向いている。デジタル式カメラ（２）の位置は、画像表示装置（１）の横方向の中央部が望ましい。画像表示装置（１）には、演算処理部（３）が内蔵されている。観察者（４ａ）、（４ｂ）及び（４ｃ）が観察位置におり、画像処理装置（１）の方を向いている。
本発明を使用するときは、例えば観察者（４ａ）がリモコンの操作ボタンを押す。この指示が画像表示装置（１）に伝えられ、デジタル式カメラ（２）が作動を開始する。デジタル式カメラ（２）で得られた画像には観察者（４ａ）、（４ｂ）及び（４ｃ）の顔が写されるとともに、顔認識機能及び被写体位置導出機能が作動し、観察者（４ａ）、（４ｂ）及び（４ｃ）の顔及び位置が認識できる。演算処理部（３）が有するアルゴリズムにより、観察者（４ａ）、（４ｂ）及び（４ｃ）を代表し、最も適切と考えられる設定位置（５）が算出される。この設定位置（５）に対して、画像表示装置（１）の向き、画面サイズ、音量の一部または全てが設定される。画像表示装置（１）の向きの変更に対しては、台座にモーター等を組み込めば可能であり、画面サイズ、音量の変更は、電気的手段にて可能である。この一連の動作は、定期的に自動で作動を繰り返すようにしてもいい。
この算出アルゴリズムとしては、観察者（４ａ）、（４ｂ）及び（４ｃ）の重みを等しくして、その重心位置を設定位置（５）とする方法が望ましい。状況によっては、各観察者の重みを変えてもいい。また、本実施例の観察者が３人以外の場合でも、同様の方法で最適位置を設定することができるのは、当然である。【０００９】  また、観察者（４ａ）、（４ｂ）及び（４ｃ）の顔が認識できなかった場合には、この画像表示装置を監察している人がいないと判断できるので、画面表示等の一部機能あるいは電源を切る等の動作が可能となる。
【符号の説明】
【００１０】１・・・画像表示装置
２・・・デジタル式カメラ
３・・・演算処理部
４ａ・・・観察者
４ｂ・・・観察者
４ｃ・・・観察者
５・・・設定位置
【図１】
2010176112.tif 000003